(57)【特許請求の範囲】
【請求項１】
可撓性を有する矩形の不燃シートと、
天井面に延在して前記不燃シートの上端部が取り付けられる天井レールと、
前記天井レールの一方端側に配置されて壁面に固定される方立と、
前記天井レールの他方端側に配置されて前記天井面に固定される支持部材と、
を有し、
前記天井レールは、前記方立及び前記支持部材に対して緩衝可能に配設されており、
前記天井レールは、鉛直方向に貫通された貫通孔が形成され、前記天井面に固定されて前記貫通孔に挿入される保持部材により回転可能に保持されており、
前記天井レールの少なくとも一方の端面は、前記天井レールの側方に向けられた傾斜面に形成されており、
前記貫通孔と前記保持部材との間には、前記天井レールの延在方向における空間が形成されている、
緩衝機能付防煙垂壁。
【請求項２】
対向する前記天井レールの前記支持部材側端面と前記支持部材の前記天井レール側端面とが、互いに逆方向に向けられた傾斜面に形成されている、
請求項１に記載の緩衝機能付防煙垂壁。
【請求項３】
前記支持部材は、前記天井レールに隣接されて前記不燃シートの上端部が取り付けられる隣接天井レールである、
請求項１又は２に記載の緩衝機能付防煙垂壁。
【請求項４】
前記支持部材は、前記天井レールと前記不燃シートに隣接する隣接不燃シートの上端部が取り付けられる隣接天井レールとの間に配置される中間方立である、
請求項１又は２に記載の緩衝機能付防煙垂壁。
【請求項５】
少なくとも前記天井レール及び前記支持部材の何れか一方に、前記天井レールと前記支持部材との間の隙間を覆う蓋部が設けられている、
請求項１〜４の何れか一項に記載の緩衝機能付防煙垂壁。
【請求項６】
前記不燃シートは、前記天井レール及び前記方立に対して分離可能に取り付けられる、
請求項１〜５の何れか一項に記載の緩衝機能付防煙垂壁。
【発明の詳細な説明】
【技術分野】
【０００１】
この発明は、火災時などに発生する煙の流動を一時的に遮断する防煙垂壁に関する。
【背景技術】
【０００２】
従来の防煙垂壁は、天井に設けられた天井レールにガラス板の上端部を嵌め込み、順次ガラス板を建て込んでいくものであった（例えば、特許文献１参照）。しかしながら、このような防煙垂壁は、ガラス板が建築物に固定されているため、地震などで面内変形や面外変形を受けると、ガラス板がこれらの変形に耐えられずに破損し、落下して通行人が怪我をする危険もあった。
【０００３】
そこで、特許文献２に記載されたように、破損し易いガラス板に代えて不燃シートを用いる防煙垂壁が考え出された。この防煙垂壁は、不燃シートを枠体に取り付けた防煙垂壁用パネルを、天井面に配設された天井レールに固定したものである。
【先行技術文献】
【特許文献】
【０００４】
【特許文献１】実用新案登録第３０４５５９０号公報
【特許文献２】特開２００６−３３５７７５号公報
【発明の概要】
【発明が解決しようとする課題】
【０００５】
しかしながら、特許文献２に記載された防煙垂壁が施工された現場を観察して回ったところ、巨大地震の発生により、天井レールが曲がり、天井面や壁面が傷つき、不燃シートが裂けた箇所が散見された。
【０００６】
そこで、天井レールが曲がるメカニズムや天井面、壁面、不燃シートなどが傷つくメカニズムを鋭意検討した結果、（天井面に固定された複数ある天井レールのうち）、壁面側に配置された天井レールに壁面から圧縮方向の力（以下「圧縮力」という）が加えられると、その天井レールが圧縮力により押し曲げられて変形しながら隣接する天井レールを押し曲げ、更には、押し曲げられた天井レールが天井面、壁面、不燃シートなどを傷つけてしまうことが分かった。
【０００７】
このような場合、変形した天井レールや裂けた不燃シートは再使用することができない。このため、新たに天井レールや不燃シートを作成し直して防煙垂壁を形成しなければならず、また、傷ついた天井面や壁面を補修しなければならない。
【０００８】
なお、壁面側に配置された天井レールに壁面から引張方向の力（以下「引張力」という）が加えられても、その天井レールや隣接する天井レールは、押し曲げられることもなく、単に天井面から外れるだけで、天井面、壁面、不燃シートなどを傷つけることもなかった。
【０００９】
そこで、本発明は、地震などの大きな衝撃によっても天井レールが変形することなく、簡単に修復することができる防煙垂壁を提供することを目的とする。
【課題を解決するための手段】
【００１０】
本発明に係る緩衝機能付防煙垂壁は、可撓性を有する矩形の不燃シートと、天井面に延在して不燃シートの上端部が取り付けられる天井レールと、天井レールの一方端側に配置されて壁面に固定される方立と、天井レールの他方端側に配置されて天井面に固定される支持部材と、を有し、天井レールが方立及び支持部材に対して緩衝可能に配設されるものである。
【００１１】
ここで、壁面とは、天井面に対して垂直となる面をいい、壁の面や柱の面などが含まれる。壁面に固定されるとは、壁面に直接的に固定されることや、内装材等を介して壁面に間接的に固定されることなどをいう。方立及び支持部材に対して緩衝可能な態様としては、例えば、方立及び支持部材に対して天井レールを回転させることで壁面から天井レールに加えられる圧縮力を逃がす態様や、方立及び支持部材と天井レールとの間に空間を形成することで壁面から天井レールに圧縮力を加えさせない態様や、方立及び支持部材と天井レールとの間に弾性部材の詰物を挿入することで壁面から天井レールに加えられる圧縮力を小さくする態様などをいう。なお、方立及び支持部材と天井レールとの間に空間を形成する場合は、煙の通過を阻止する観点から、方立及び支持部材と天井レールとの間の隙間を覆う蓋部を取り付けることが好ましい。
【００１２】
本発明に係る緩衝機能付防煙垂壁によれば、方立及び支持部材は壁面及び天井面に固定されるが、天井レールは方立と支持部材との間に緩衝状態で配設されるため、地震などの大きな衝撃によっても天井レールが変形するのを防止することができる。これにより、地震が発生しても、天井レールを再使用することができ、しかも、従来のように押し曲げられた天井レールにより天井面や壁面が傷つけられることも防止できるため、簡単に修復することができる。
【００１３】
また、本発明は、天井レールが、鉛直方向に貫通された貫通孔が形成され、天井面に固定されて貫通孔に挿入される保持部材により回転可能に保持されており、天井レールの少なくとも一方の端面が、天井レールの側方に向けられた傾斜面に形成されており、貫通孔と保持部材との間には、天井レールの延在方向における空間が形成されているものとすることができる。
【００１４】
このように、天井レールを保持部材で回転可能に保持し、天井レールの少なくとも一方の端面に傾斜面を形成することで、壁面から天井レールに加えられる圧縮力の一部が、天井レールを保持部材の軸周りに回転させる力に変換されるため、壁面から天井レールに圧縮力が加えられると、天井レールを保持部材の軸周りに回転させることができる。しかも、貫通孔と保持部材との間に形成された空間により、天井面に対する天井レールの圧縮力が加えられる方向への移動が許容されるため、天井レールの回転を開始させ易くなる。これにより、天井レールに加えられる圧縮力が適切に逃がされるため、天井レールの変形を防止することができる。なお、この場合、傾斜面に形成された天井レールの端部は尖がった形状になるが、天井レールの支持部材側の端面のみを傾斜面に形成することで、この尖った端部が壁面に衝突して壁面が傷つくのを防止することができる。
【００１５】
また、本発明は、対向する天井レールの支持部材側端面と支持部材の天井レール側端面とが、互いに逆方向に向けられた傾斜面に形成されているものとすることができる。このように、対向する支持部材側端面と天井レール側端面とが互いに逆方向に向けられた傾斜面に形成されることで、壁面から天井レールに圧縮力が加えられた際に天井レールをより円滑に回転させることができる。
【００１６】
また、本発明は、支持部材が、天井レールに隣接されて不燃シートの上端部が取り付けられる隣接天井レールであるものとすることができる。このように構成することで、支持部材を容易に製作することができる。なお、この場合、不燃シートの上端部を、天井レールと隣接天井レールとに渡って取り付けることができる。また、隣接天井レールの下部に、隣接天井レールから鉛直方向下方に延びる中間方立を取り付けることもできる。
【００１７】
また、本発明は、支持部材が、天井レールと不燃シートに隣接する隣接不燃シートの上端部が取り付けられる隣接天井レールとの間に配置される中間方立であるものとすることができる。このように構成することで、方立側に配置される天井レールとそれ以外の天井レールとの縁を切ることができるため、壁面から天井レールに加えられた圧縮力が他の天井レールに伝わるのを防止することができる。
【００１８】
また、本発明は、少なくとも天井レール及び支持部材の何れか一方に、天井レールと支持部材との間の隙間を覆う蓋部が設けられているものとすることができる。このように構成することで、天井レールと支持部材との間の隙間を煙が通過するのを阻止することができる。
【００１９】
また、本発明は、不燃シートが、天井レール及び方立に対して分離可能に取り付けられるものとすることができる。このように、不燃シートを天井レール及び方立に対して分離可能に取り付けることで、天井レールが回転した際に不燃シートが裂けるのを防止することができる。
【発明の効果】
【００２０】
本発明によれば、地震などの大きな衝撃によっても天井レールが変形することなく、簡単に修復することができる。
【図面の簡単な説明】
【００２１】
【図１】第１の実施形態に係る緩衝機能付防煙垂壁を示す平面図である。
【図２】第１の実施形態に係る緩衝機能付防煙垂壁を示す底面図である。
【図３】固定用天井レールを示す図であり、（ａ）は底面図、（ｂ）は（ａ）に示す矢印ｂ方向から見た側面図である。
【図４】回転用天井レールを示す図であり、（ａ）は底面図、（ｂ）は（ａ）に示す矢印ｂ方向から見た側面図である。
【図５】第１の実施形態に係る緩衝機能付防煙垂壁の動作を示す図である。
【図６】第２の実施形態に係る緩衝機能付防煙垂壁を示す平面図である。
【図７】第２の実施形態に係る緩衝機能付防煙垂壁を示す底面図である。
【図８】第２の実施形態に係る緩衝機能付防煙垂壁の動作を示す図である。
【図９】実施形態に係る他の緩衝機能付防煙垂壁を示す底面図である。
【発明を実施するための形態】
【００２２】
以下、図面を参照して、本発明に係る緩衝機能付防煙垂壁の好適な実施形態について詳細に説明する。なお、全図中、同一または相当部分には同一符号を付し、重複する説明を省略する。
【００２３】
［第１の実施形態］
図１は、第１の実施形態に係る緩衝機能付防煙垂壁を示す平面図であり、図２は、第１の実施形態に係る緩衝機能付防煙垂壁を示す底面図である。図１及び図２に示すように、本実施形態に係る緩衝機能付防煙垂壁１は、一方の壁面Ｗ１に固定される方立２と、壁面Ｗ１に対向する他方の壁面Ｗ２に固定される方立３と、天井面Ｃに配設されて方立２から方立３に向けて延在する固定用天井レール４と、天井面Ｃに配設されて方立３から方立２に向けて延在する回転用天井レール５と、固定用天井レール４及び回転用天井レール５に吊り下げられる不燃シート６と、を備えている。
【００２４】
図３は、固定用天井レール示す図であり、（ａ）は底面図、（ｂ）は（ａ）に示す矢印ｂ方向から見た側面図である。なお、図３（ｂ）では、固定用天井レールの上下方向を分かり易くするために、天井面Ｃを図示している。図１〜図３に示すように、固定用天井レール４は、不燃性のアルミやステンレスなどの金属を材料とした長尺のレール材であって、全長に亘って略同一断面の型材で形成されている。固定用天井レール４は、鉛直方向下方に向けて開口した断面コ字状に形成されており、天井面Ｃに当接される天井部４ａと、天井部４ａの両端縁から鉛直方向下方に向けて延びる一対の側壁部４ｂ及び側壁部４ｃと、を備えている。
【００２５】
天井部４ａには、鉛直方向に貫通された丸穴４ｄが複数箇所に形成されている。丸穴４ｄは、天井面Ｃに捩じ込まれるネジ材７が挿入される穴である。そして、各丸穴４ｄに挿入されたネジ材７が天井面Ｃに捩じ込まれることで、固定用天井レール４が天井面Ｃに保持される。
【００２６】
固定用天井レール４における方立２側の一方端面４ｅは、方立２に当接されている。なお、一方端面４ｅは、方立２との接触面積を増やして方立２との間から煙が漏れ出すのを防止するために、方立２の当接面に対応する形状に形成されていることが好ましい。
【００２７】
固定用天井レール４における回転用天井レール５側（方立３側）の他方端面４ｆは、固定用天井レール４における側壁部４ｂ側の側方に向けられた傾斜面に形成されている。すなわち、他方端面４ｆは、固定用天井レール４の延在方向に対して水平方向（図３（ａ）における上下方向）に直交する固定用天井レール４の側壁部４ｂ側の側方に向けられた傾斜面に形成されている。
【００２８】
側壁部４ｂは、回転用天井レール５側が所定長さだけ切り欠かれて他方端面４ｆから方立２側に引っ込んでいる。このため、他方端面４ｆは、天井部４ａ及び側壁部４ｃのみで形成されている。
【００２９】
図４は、回転用天井レールを示す図であり、（ａ）は底面図、（ｂ）は（ａ）に示す矢印ｂ方向から見た側面図である。なお、図４（ｂ）では、回転用天井レールの上下方向を分かり易くするために、天井面Ｃを図示している。図１，図２，図４に示すように、回転用天井レール５は、不燃性のアルミやステンレスなどの金属を材料とした長尺のレール材であって、全長に亘って固定用天井レール４と同じ略同一断面の型材で形成されている。回転用天井レール５は、鉛直方向下方に向けて開口した断面コ字状に形成されており、天井面Ｃに当接される天井部５ａと、天井部５ａの両端縁から鉛直方向下方に向けて延びる一対の側壁部５ｂ及び側壁部５ｃと、を備えている。
【００３０】
天井部５ａには、鉛直方向に貫通された長穴５ｄが１箇所に形成されている。長穴５ｄは、天井面Ｃに捩じ込まれるネジ材８が挿入される穴である。そして、１箇所の長穴５ｄに挿入されたネジ材８が天井面Ｃに捩じ込まれることで、回転用天井レール５が天井面Ｃに対してネジ材８の軸周りに回転可能に保持される。また、長穴５ｄは、回転用天井レール５の延在方向に長く形成されており、ネジ材８との間に回転用天井レール５の延在方向における空間が形成されている。このため、回転用天井レール５は、ネジ材８に対して回転用天井レール５の延在方向に摺動可能になっている。
【００３１】
回転用天井レール５における方立３側の一方端面５ｅは、方立３に当接されている。なお、一方端面５ｅは、方立３との接触面積を増やして方立３との間から煙が漏れ出すのを防止するために、方立３の当接面に対応する形状に形成されていることが好ましい。
【００３２】
回転用天井レール５における固定用天井レール４側（方立２側）の他方端面５ｆは、回転用天井レール５における側壁部５ｃ側の側方に向けられた傾斜面に形成されている。すなわち、他方端面５ｆは、回転用天井レール５の延在方向に対して水平方向（図４（ａ）における上下方向）に直交する回転用天井レール５の側壁部５ｃ側の側方に向けられた傾斜面に形成されている。
【００３３】
そして、他方端面４ｆと他方端面５ｆとが当接されて、固定用天井レール４と回転用天井レール５とが同一直線状に配設されている。
【００３４】
固定用天井レール４の延在方向に対する他方端面４ｆ及び回転用天井レール５の延在方向に対する他方端面５ｆの傾斜角度は、特に制限されるものではないが、３０°以上６０°以下が好ましく、３５°以上５５°以下が更に好ましく、４０°以上５０°以下が特に好ましい。この傾斜角度を３０°よりも小さくすると、方立３から回転用天井レール５に圧縮力が加えられた際に、他方端面４ｆと他方端面５ｆとの間に発生する摩擦力が大きくなりすぎて回転用天井レール５が回転しなくなる可能性が高くなる。一方、この傾斜角度を６０°よりも大きくすると、先端が尖がり過ぎてしまい、固定用天井レール４及び回転用天井レール５の取り扱い性が低下する。そこで、この傾斜角度を上記範囲とすることで、固定用天井レール４及び回転用天井レール５の取り扱い性が低下するのを抑制しつつ、回転用天井レール５を円滑に回転させることができる。なお、他方端面４ｆと他方端面５ｆとの接触面積を増やして他方端面４ｆと他方端面５ｆとの間から煙が漏れ出すのを防止するために、他方端面４ｆ及び他方端面５ｆの傾斜角度は、同一であることが好ましい。
【００３５】
この回転用天井レール５には、他方端面４ｆと他方端面５ｆとの間の隙間を覆う蓋部５ｇが形成されている。すなわち、側壁部５ｂは、固定用天井レール４側が所定の長さだけ他方端面５ｆから固定用天井レール４側に突出しており、この他方端面５ｆから固定用天井レール４側に突出した側壁部５ｂの突出部分が蓋部５ｇとなる。
【００３６】
蓋部５ｇの長さは、固定用天井レール４の側壁部５ｂが切り欠かれた寸法と同じ寸法となっている。このため、他方端面４ｆと他方端面５ｆとが当接されて固定用天井レール４と回転用天井レール５とが同一直線状に配設されると、蓋部５ｇが側壁部５ｂの切り欠かれた部分に嵌まり込み、蓋部５ｇの先端が側壁部５ｂに当接するとともに、蓋部５ｇの側壁部５ｃ側の側面が天井部４ａに当接する。これにより、他方端面４ｆと他方端面５ｆとの間の隙間が蓋部５ｇにより覆われる。
【００３７】
不燃シート６は、不燃性及び可撓性を有する素材により矩形のシート状に形成されている。
【００３８】
不燃シート６の上端部は、固定用天井レール４及び回転用天井レール５に分離可能に取り付けられている。
【００３９】
固定用天井レール４及び回転用天井レール５に対する不燃シート６の取り付け位置は、特に限定されるものではないが、本実施形態では、側壁部４ｃ及び側壁部５ｃに対向する側壁部４ｂ及び側壁部５ｂの内側面に取り付けている。
【００４０】
固定用天井レール４及び回転用天井レール５に対する不燃シート６の取り付け態様は、固定用天井レール４及び回転用天井レール５に対して不燃シート６を分離可能に取り付けることができれば如何なる態様であってもよい。例えば、磁石やマジックテープ（登録商標）を利用して固定用天井レール４及び回転用天井レール５に対して不燃シート６を保持する態様や、固定用天井レール４及び回転用天井レール５に形成された凹部に不燃シート６を挿入して板ばねなどの弾性体で不燃シート６を係止する態様などが挙げられる。この場合、固定用天井レール４及び回転用天井レール５に対する不燃シート６の取り付けは、必ずしも固定用天井レール４及び回転用天井レール５の全体に渡って分離可能である必要は無い。固定用天井レール４及び回転用天井レール５に対する不燃シート６の取り付け位置や、他方端面４ｆ及び他方端面５ｆの傾斜方向などにも拠るが、少なくとも、固定用天井レール４の回転用天井レール５側の端部近傍、又は、回転用天井レール５の固定用天井レール４側の端部近傍が分離可能であればよい。
【００４１】
不燃シート６の両側端部は、方立２及び方立３に分離可能に取り付けられている。方立２及び方立３に対する不燃シート６の取り付け態様は、固定用天井レール４及び回転用天井レール５に対する不燃シート６の取り付け態様と同様に、方立２及び方立３に対して不燃シート６を分離可能に取り付けることができれば如何なる態様であってもよい。この場合、方立２及び方立３に対する不燃シート６の取り付けは、必ずしも方立２及び方立３の全体に渡って分離可能である必要は無い。少なくとも、回転用天井レール５の上端部近傍が分離可能であればよい。
【００４２】
この不燃シート６は、例えば、ガラス繊維強化シートが用いられる。このガラス繊維強化シートは、ガラス繊維織物と、このガラス繊維織物に樹脂を含浸及び硬化させた樹脂被覆層と、により構成される。ガラス繊維織物の織組織は、平織、朱子織、綾織、斜子織、畦織などが挙げられる。ガラス繊維強化シートを構成する樹脂被覆層を構成する樹脂は、ビニルエステル樹脂、不飽和ポリエステル樹脂、フェノール樹脂などが挙げられる。なお、樹脂被覆層として、上記樹脂に、難燃剤、紫外線吸収剤、充填剤、帯電防止剤などの添加物を含めるのが好ましい。
【００４３】
また、ガラス繊維強化樹脂シートは、不燃性及び剛性を向上させるため、以下のものであることが好ましい。すなわち、ガラス繊維織物を構成するガラス繊維糸の番手は、５〜７０ｔｅｘが好ましく、１０〜３５ｔｅｘが更に好ましい。また、ガラス繊維糸に含まれるフィラメント（ガラス繊維）の直径は、１〜２０μｍが好ましく、３〜１２μｍが更に好ましい。また、単位面積当たりのガラス繊維織物の質量は、１０〜３００ｇ／ｍ２が好ましく、２０〜３００ｇ／ｍ２が更に好ましい。また、単位面積当たりの樹脂被覆層の質量は、１０〜５００ｇ／ｍ２が好ましい。なお、ガラス繊維織物には、ガラス繊維処理剤で表面処理するのが好ましい。
【００４４】
次に、図５を参照して、地震などの大きな衝撃によって壁面Ｗ２から回転用天井レール５に圧縮力が加えられるときの緩衝機能付防煙垂壁１の動作について説明する。図５は、第１の実施形態に係る緩衝機能付防煙垂壁の動作を示す図である。
【００４５】
図５（ａ）に示すように、通常時は、固定用天井レール４と回転用天井レール５とが一直線状に配置され、他方端面４ｆと他方端面５ｆとが密着されている。このとき、不燃シート６の上端部が固定用天井レール４及び回転用天井レール５に取り付けられており、不燃シート６の両側端部が方立２及び方立３に取り付けられている。また、他方端面４ｆと他方端面５ｆとの間の隙間が蓋部５ｇにより覆われている。
【００４６】
図５（ｂ）に示すように、地震などの大きな衝撃によって壁面Ｗ２が回転用天井レール５側に移動すると、壁面Ｗ２から回転用天井レール５に圧縮力が加えられる。すると、他方端面４ｆ及び他方端面５ｆの傾斜面により、壁面Ｗ２から回転用天井レール５に加えられる圧縮力の一部が、回転用天井レール５をネジ材８の軸周りに回転させる力に変換されるとともに、長穴５ｄにより、回転用天井レール５の固定用天井レール４側への移動が許容されるため、回転用天井レール５は、固定用天井レール４側に摺動しながら、ネジ材８の軸周りに回転し始める。
【００４７】
すると、回転用天井レール５における方立３側の端部が側壁部５ｃ側に移動することにより、方立３の上端部側において不燃シート６が回転用天井レール５の側壁部５ｃ側に引っ張られるため、方立３の上端部近傍から不燃シート６が分離される。また、回転用天井レール５における固定用天井レール４側の端部が側壁部５ｂ側に移動することにより、回転用天井レール５の固定用天井レール４側において不燃シート６が回転用天井レール５の側壁部５ｂ側に引っ張られるため、回転用天井レール５の固定用天井レール４側の端部付近から不燃シート６が分離される。これにより、不燃シート６が引き裂かれること無く回転用天井レール５が回転し、壁面Ｗ２から回転用天井レール５に加えられる圧縮力が逃がされる。
【００４８】
また、回転用天井レール５における固定用天井レール４側の端部が移動して行く方向に配置される側壁部４ｂは、回転用天井レール５側の先端が切り欠かれているため、不燃シート６が引き裂かれること無く回転用天井レール５が回転できる回転用天井レール５の最大回転角度が大きくなる。
【００４９】
図５（ｃ）に示すように、壁面Ｗ２の回転用天井レール５側への移動量が大きくなっても、方立３及び回転用天井レール５に対する不燃シート６の分離量が大きくなることで、不燃シート６が引き裂かれること無く回転用天井レール５が回転し、壁面Ｗ２から回転用天井レール５に加えられる圧縮力が逃がされる。
【００５０】
このように、本実施形態に係る緩衝機能付防煙垂壁１によれば、壁面Ｗ２から回転用天井レール５に圧縮力が加えられると、回転用天井レール５をネジ材８の軸周りに回転させることができ、しかも、長穴５ｄにより天井面Ｃに対する回転用天井レール５の固定用天井レール４側への移動が許容されるため、回転用天井レール５の回転を開始させ易くなる。これにより、回転用天井レール５に加えられる圧縮力が適切に逃がされるため、回転用天井レール５や固定用天井レール４の変形を防止することができる。
【００５１】
また、傾斜面を方立２及び方立３とは反対側である他方端面５ｆに形成することで、壁面Ｗ２が傷つくのを防止することができる。
【００５２】
また、他方端面４ｆと他方端面５ｆとを互いに逆方向に向けられた傾斜面に形成する、壁面Ｗ２から回転用天井レール５に圧縮力が加えられた際に回転用天井レール５をより円滑に回転させることができる。
【００５３】
また、不燃シート６を、方立２、方立３、固定用天井レール４及び回転用天井レール５に対して分離可能に取り付けることで、回転用天井レール５が回転した際に不燃シート６が裂けるのを防止することができる。
【００５４】
［第２の実施形態］
図６は、第２の実施形態に係る緩衝機能付防煙垂壁を示す平面図であり、図７は、第２の実施形態に係る緩衝機能付防煙垂壁を示す底面図である。図６及び図７に示すように、本実施形態に係る緩衝機能付防煙垂壁１１は、一方の壁面Ｗ１に固定される方立２と、壁面Ｗ１に対向する他方の壁面Ｗ２に固定される方立３と、方立２と方立３の間に配置されて天井面Ｃに固定される中間方立１２と、天井面Ｃに配設されて方立２と中間方立１２との間に延在する固定用天井レール１３と、天井面Ｃに配設されて中間方立１２と方立３との間に延在する回転用天井レール１４と、固定用天井レール４に吊り下げられる不燃シート６ａと、回転用天井レール５に吊り下げられて不燃シート６ａに隣接される不燃シート６ｂと、を備えている。
【００５５】
固定用天井レール１３は、基本的に第１の実施形態に係る緩衝機能付防煙垂壁１の固定用天井レール４と同様に形成されている。すなわち、固定用天井レール１３は、天井面Ｃに当接される天井部１３ａと、天井部１３ａの両端縁から鉛直方向下方に向けて延びる一対の側壁部１３ｂ及び側壁部１３ｃと、を備えており、天井部１３ａには、ネジ材７が挿入される丸穴が複数個所に形成されている。
【００５６】
そして、固定用天井レール１３における方立２側の一方端面１３ｅは、方立２に当接されており、固定用天井レール１３における中間方立１２側の他方端面１３ｆは、中間方立１２に当接されている。なお、一方端面１３ｅ及び他方端面１３ｆは、方立２及び中間方立１２との接触面積を増やして方立２及び中間方立１２との間から煙が漏れ出すのを防止するために、方立２及び中間方立１２の当接面に対応する形状に形成されていることが好ましい。
【００５７】
回転用天井レール１４は、基本的に第１の実施形態に係る緩衝機能付防煙垂壁１の回転用天井レール５と同様に形成されている。すなわち、回転用天井レール１４は、天井面Ｃに当接される天井部１４ａと、天井部１４ａの両端縁から鉛直方向下方に向けて延びる一対の側壁部１４ｂ及び側壁部１４ｃと、を備えており、天井部１４ａには、ネジ材８が挿入される長穴１４ｄが１箇所に形成されている。この長穴１４ｄは、回転用天井レール１４の延在方向に長く形成されており、ネジ材８との間に回転用天井レール１４の延在方向における空間が形成されている。
【００５８】
回転用天井レール１４における方立３側の一方端面１４ｅは、方立３に当接されている。なお、一方端面１４ｅは、方立３との接触面積を増やして方立３との間から煙が漏れ出すのを防止するために、方立３の当接面に対応する形状に形成されていることが好ましい。
【００５９】
回転用天井レール１４における中間方立１２側の他方端面１４ｆは、回転用天井レール１４における側壁部１４ｃ側の側方に向けられた傾斜面に形成されている。すなわち、他方端面１４ｆは、回転用天井レール１４の延在方向に対して水平方向（図７における上下方向）に直交する回転用天井レール１４の側壁部１４ｃ側の側方に向けられた傾斜面に形成されている。
【００６０】
中間方立１２は、固定用天井レール１３と回転用天井レール１４とを分離するように、固定用天井レール１３と回転用天井レール１４との間に配置されて、天井面Ｃに固定されている。
【００６１】
中間方立１２における固定用天井レール１３側（方立２側）の一方端面１２ａは、固定用天井レール１３の延在方向に対して垂直な平面に形成されている。一方、中間方立１２における回転用天井レール１４側（方立３側）の他方端面１２ｂは、回転用天井レール１４における側壁部１４ｂ側の側方に向けられた傾斜面に形成されている。すなわち、他方端面１２ｂは、回転用天井レール１４の延在方向に対して水平方向（図７における上下方向）に直交する回転用天井レール１４の側壁部１４ｂ側の側方に向けられた傾斜面に形成されている。
【００６２】
そして、他方端面１２ｂと他方端面１４ｆとが当接されて、固定用天井レール１３と中間方立１２と回転用天井レール１４とが同一直線状に配設されている。
【００６３】
回転用天井レール１４の延在方向に対する他方端面１２ｂ及び他方端面１４ｆの傾斜角度は、特に制限されるものではないが、第一の実施形態と同様に、３０°以上６０°以下が好ましく、３５°以上５５°以下が更に好ましく、４０°以上５０°以下が特に好ましい。なお、他方端面１２ｂと他方端面１４ｆとの接触面積を増やして他方端面１２ｂと他方端面１４ｆとの間から煙が漏れ出すのを防止するために、他方端面１２ｂ及び他方端面１４ｆの傾斜角度は、同一であることが好ましい。
【００６４】
不燃シート６ａ及び不燃シート６ｂは、第１の実施形態に係る緩衝機能付防煙垂壁１の不燃シート６と同様に、不燃性及び可撓性を有する素材により矩形のシート状に形成されている。
【００６５】
不燃シート６ａの上端部は、固定用天井レール１３に取り付けられており、不燃シート６ａの両側端部は、方立２及び中間方立１２に取り付けられている。
【００６６】
不燃シート６ｂの上端部は、回転用天井レール１４に分離可能に取り付けられており、不燃シート６ｂの両側端部は、中間方立１２及び方立３に分離可能に取り付けられている。なお、回転用天井レール１４、中間方立１２及び方立３に対する不燃シート６ｂの取り付けは、必ずしも回転用天井レール１４、中間方立１２及び方立３の全体に渡って分離可能である必要は無い。少なくとも、回転用天井レール１４の両端部近傍、中間方立１２の上端部近傍、及び、方立３の上端部近傍が分離可能であればよい。
【００６７】
固定用天井レール１３及び回転用天井レール１４に対する不燃シート６ａ及び不燃シート６ｂの取り付け位置は、特に限定されるものではないが、本実施形態では、側壁部１３ｂ及び側壁部１３ｂの反対側となる側壁部１３ｃ及び側壁部１３ｃの外側面に取り付けている。
【００６８】
次に、図８を参照して、地震などの大きな衝撃によって壁面Ｗ２から回転用天井レール１４に圧縮力が加えられるときの緩衝機能付防煙垂壁１１の動作について説明する。図８は、第２の実施形態に係る緩衝機能付防煙垂壁の動作を示す図である。
【００６９】
図８（ａ）に示すように、通常時は、固定用天井レール１３と中間方立１２と回転用天井レール１４とが一直線状に配置され、他方端面１２ｂと他方端面１４ｆとが密着されている。このとき、不燃シート６ｂの上端部が回転用天井レール１４に取り付けられており、不燃シート６ｂの両側端部が中間方立１２及び方立３に取り付けられている。
【００７０】
図８（ｂ）に示すように、地震などの大きな衝撃によって壁面Ｗ２が回転用天井レール１４側に移動すると、壁面Ｗ２から回転用天井レール１４に圧縮力が加えられる。すると、他方端面１２ｂ及び他方端面１４ｆの傾斜面により、壁面Ｗ２から回転用天井レール１４に加えられる圧縮力の一部が、回転用天井レール１４をネジ材８の軸周りに回転させる力に変換されるとともに、長穴１４ｄにより、回転用天井レール１４の中間方立１２側への移動が許容されるため、回転用天井レール１４は、中間方立１２側に摺動しながら、ネジ材８の軸周りに回転し始める。
【００７１】
すると、回転用天井レール１４における方立３側の端部が側壁部１４ｃ側に移動することにより、方立３の上端部において不燃シート６ｂが回転用天井レール１４の側壁部１４ｃ側に引っ張られるため、方立３から不燃シート６ｂが分離される。また、回転用天井レール１４における中間方立１２側の端部が側壁部１４ｂ側に移動することにより、回転用天井レール１４の中間方立１２側において不燃シート６ｂが回転用天井レール１４の側壁部１４ｂ側に引っ張られるため、回転用天井レール１４の中間方立１２側の端部付近から不燃シート６が分離される。これにより、不燃シート６ｂが引き裂かれること無く回転用天井レール１４が回転し、壁面Ｗ２から回転用天井レール１４に加えられる圧縮力が逃がされる。
【００７２】
また、不燃シート６ｂが、回転用天井レール１４における中間方立１２側の端部が移動して行く方向とは反対側である側壁部１３ｃ及び側壁部１３ｃの外側面に取り付けられているため、回転用天井レール１４から不燃シート６を分離させることで、不燃シート６が引き裂かれること無く回転用天井レール５を回転させることができる。
【００７３】
図８（ｃ）に示すように、壁面Ｗ２の回転用天井レール１４側への移動量が大きくなっても、方立３及び回転用天井レール５に対する不燃シート６の分離量が大きくなることで、不燃シート６が引き裂かれること無く回転用天井レール５が回転し、壁面Ｗ２から回転用天井レール１４に加えられる圧縮力が逃がされる。
【００７４】
このように、本実施形態に係る緩衝機能付防煙垂壁１１によれば、上記の第１の実施形態にかかる緩衝機能付防煙垂壁１の効果に加え、中間方立１２により回転用天井レール１４と固定用天井レール１３との縁を切ることができるため、壁面Ｗ２から回転用天井レール１４に加えられた圧縮力が固定用天井レール１３に伝わるのを防止することができる。
【００７５】
以上、本発明の好適な実施形態について説明したが、本発明は上記実施形態に限定されるものではない。
【００７６】
例えば、第１の実施形態では、回転用天井レール５に蓋部５ｇを設けるものとして説明したが、図９（ａ）に示す緩衝機能付防煙垂壁２１のように、固定用天井レール２２に蓋部２２ｇを設けるものとしても良い。この場合、当接される固定用天井レール２２の他方端面２２ｆと回転用天井レール２３の他方端面２３ｆとは、蓋部２２ｇとは反対方向に向いた傾斜面とすることが好ましい。更に、不燃シートを固定用天井レール２２及び回転用天井レール２３における一対の側壁部の内側に取り付ける場合は、回転用天井レール２３の最大回転角度を大きくするために、蓋部２２ｇが設けられている側の側壁部の内側に取り付けることが好ましい。
【００７７】
また、上記実施形態では、回転用天井レールにおける壁面と反対側の端面を傾斜面とするものとして説明したが、図９（ｂ）に示す緩衝機能付防煙垂壁２１のように、回転用天井レール３３における壁面側の端面３３ａを傾斜面とするものとしてもよい。この場合、端面３３ａに当接する方立３２の当接面３２ａも、端面３３ａと逆方向の傾斜面とすることが好ましい。
【００７８】
また、第１の実施形態では、他方端面４ｆ及び他方端面５ｆの双方が傾斜面に形成されるものとし、第二の実施形態では、他方端面１２ｂ及び他方端面１４ｆの双方が傾斜面に形成されるものとして説明したが、他方端面４ｆ及び他方端面５ｆの何れか一方のみを傾斜面とし、他方端面１２ｂ及び他方端面１４ｆの何れか一方のみを傾斜面としてもよい。
【００７９】
また、上記実施形態では、支持部材として、固定用天井レール４や中間方立１２を採用するものとして説明したが、例えば、壁面Ｗ１に固定される方立２を採用するものとしてもよい。
【００８０】
また、上記実施形態では、方立２及び方立３は壁面に固定されるものとして説明したが、壁面と天井面に固定されるものとしてもよい。
【符号の説明】
【００８１】
１…緩衝機能付防煙垂壁、２…方立、３…方立、４…固定用天井レール（支持部材、隣接天井レール）、４ａ…天井部、４ｂ…側壁部、４ｃ…側壁部、４ｄ…丸穴、４ｅ…一方端面、４ｆ…他方端面、５…回転用天井レール（天井レール）、５ａ…天井部、５ｂ…側壁部、５ｃ…側壁部、５ｄ…長穴（貫通孔）、５ｅ…一方端面、５ｆ…他方端面、５ｇ…蓋部、６…不燃シート、６ａ…不燃シート、６ｂ…不燃シート、７…ネジ材、８…ネジ材（保持部材）、１１…緩衝機能付防煙垂壁、１２…中間方立（支持部材）、１２ａ…一方端面、１２ｂ…他方端面、１３…固定用天井レール、１３ａ…天井部、１３ｂ…側壁部、１３ｃ…側壁部、１３ｅ…一方端面、１３ｆ…他方端面、１４…回転用天井レール、１４ａ…天井部、１４ｂ…側壁部、１４ｃ…側壁部、１４ｄ…長穴、１４ｅ…一方端面、１４ｆ…他方端面、２１…緩衝機能付防煙垂壁、２２…固定用天井レール、２２ｆ…他方端面、２２ｇ…蓋部、２３…回転用天井レール、２３ｆ…他方端面、３２…方立、３２ａ…当接面、３３…回転用天井レール、３３ａ…端面、Ｃ…天井面、Ｗ１…壁面、Ｗ２…壁面。
【図１】
0005825057.tif 000002
【図２】
0005825057.tif 000003
【図３】
0005825057.tif 000004
【図４】
0005825057.tif 000005
【図５】
0005825057.tif 000006
【図６】
0005825057.tif 000007
【図７】
0005825057.tif 000008
【図８】
0005825057.tif 000009
【図９】
0005825057.tif 000010